(57)【特許請求の範囲】
【請求項１】
被固定部にスピーカを取り付ける車両用スピーカの取付構造において、前記被固定部に形成され前記スピーカの外フレームを取付ける取付孔と、前記外フレームに外装され前記取付孔前縁を覆う覆い部を有する弾性カバー体と、このカバー体に外装され前側が前記被固定部の前面に係止する係止部を有する前側係止ブラケットと、前記被固定部の後面に当接し前記被固定部の前面に係止する前記係止部と共に前記被固定部を挟む後側ブラケットと、この後側ブラケットを前記被固定部の後で前記スピーカに固定する固定手段とを備えることを特徴とする車両用スピーカの取付構造。
【請求項２】
前記前側係止ブラケットは、前記スピーカの後側に配置する後部を有し、この後部から前記取付孔に向って複数の腕部を設けると共に、この腕部の前側に前記係止部を設けたことを特徴とする請求項１記載の車両用スピーカの取付構造。
【請求項３】
前記前側係止ブラケットが３本の前記腕部を有することを特徴とする請求項２記載の車両用スピーカの取付構造。
【請求項４】
前記腕部の前側が複数に分かれ、この複数に分かれたそれぞれに前記係止部が設けられていることを特徴とする請求項２又は３記載の車両用スピーカの取付構造。
【請求項５】
前記腕部がばね性を有することを特徴とする請求項２〜４のいずれか１項に記載の車両用スピーカの取付構造。
【請求項６】
前記カバー体は、前記スピーカの後側に配置する後部と前記外フレームに外装する外装部とを一体に有することを特徴とする請求項１記載の車両用スピーカの取付構造。
【請求項７】
前記カバー体の覆い部が前記係止部を覆うことを特徴とする請求項１記載の車両用スピーカの取付構造。
【請求項８】
前記覆い部は前記カバー体の前側を外後側に折り返してなることを特徴とする請求項１又は７記載の車両用スピーカの取付構造。
【請求項９】
前記覆い部に前記係止部が係合する係合部を設けたことを特徴とする請求項７又は８記載の車両用スピーカの取付構造。
【請求項１０】
前記カバー体には、前記前側係止ブラケットの腕部を位置決めする位置決め部が設けられていることを特徴とする請求項２又は３記載の車両用スピーカの取付構造。
【請求項１１】
前記後側ブラケットは前記前側係止ブラケットの係止部に対応して前記被固定部の後面に当接することを特徴とする請求項１記載の車両用スピーカの取付構造。
【請求項１２】
前記後側ブラケットは前記前側係止ブラケットの係止部に対応して複数の腕部を有し、この腕部の前側が前記被固定部の後面に当接することを特徴とする請求項２又は３記載の車両用スピーカの取付構造。
【請求項１３】
前記カバー体には、前記前側係止ブラケット及び後側ブラケットの腕部を位置決めする位置決め部が設けられていることを特徴とする請求項２又は３記載の車両用スピーカの取付構造。
【請求項１４】
前記スピーカと後側ブラケットとの間に前記前側係止ブラケットの後部を挟むことを特徴とする請求項２又は３記載の車両用スピーカの取付構造。
【請求項１５】
前記カバー体は、前記スピーカの後側に配置する後部を有し、この後部を前記スピーカと後側ブラケットとの間に配置し、前記固定手段は前記後側ブラケットを前記スピーカに締め付け固定することを特徴とする請求項１４記載の車両用スピーカの取付構造。
【発明の詳細な説明】
【０００１】
【発明の属する技術分野】
本発明は、被固定部にスピーカを取り付ける車両用スピーカの取付構造に関する。
【０００２】
【発明が解決しようとする課題】
自動車において、オーディオ機器のスピーカは、車内のドアライニング，ピラーやインストルメントパネルなどに設けられる場合が多い。
【０００３】
例えば、実用新案登録第２６０４６３１号公報には、スピーカグリフはスピーカカバーとしてのパンチングメタルを担持し、かかるパンチングメタルには縁部と一体に縁部を部分的に突出させた態様で突出縁部が形成され、一方、スピーカグリルは外環部と内環部とを４本のスポークにより一体に連結した態様を有し、その各スポークの外環部側端部にはパンチングメタルの突出縁部を挿入可能に挿入孔が形成されている（公報第０００９段）。一方、スピーカグリルの被配設材であるフロントピラーにはスピーカグリルの嵌合孔が形成され、この嵌合孔の周縁部には４方向に耳部が嵌合孔の中心方向に突出して形成される（公報第００１０段）。そして、パンチングメタルの突出縁部をスピーカグリルの挿入孔に挿入すると共に、スピーカグリルをフロントピラーの嵌合孔にあてがい、スピーカグリルの挿入孔の挿入した突出縁部を耳部の取付孔に挿入し、その突出縁部を嵌合孔の中止部方向に折曲（公報第００１２段）げて、嵌合孔にスピーカグリルとパンチングメタルを取り付ける。
【０００４】
また、特開平８−１６４７９９号公報には、トリム部品の開口にスピーカネットを取付けるスピーカネットの取付構造において、前記開口の内周縁に複数個の突起を形成し、該突起にコ字状係止孔を形成することによって前記開口に対して外向きで且つ弾性変形可能な係止片を形成すると共に、前記スピーカネットの裏面に前記突起に対応する複数個の係止片を立設し、かつ該係合片にコ字状係止孔をそれぞれ形成し、前記係合片を前記係止孔に挿入することにより前記係止孔に前記コ字上係止片を係止させて構成している（公報第０００９段）。
【０００５】
上記前者従来技術（実用新案登録第２６０４６３１号公報）では、耳部の取付孔にスピーカカバーの縁部を挿入折曲げして嵌合孔にリング状のスピーカグリルを固定し、後者従来技術（特開平８−１６４７９９号公報）では、スピーカネットの突起を開口の係止片に係止して該スピーカネットを固定するものであるが、スピーカを配設するピラーなどは外面が３次元的な曲面により構成されているから、スピーカグリルとプラーの外面との間に部分的に隙間が生じ易い問題がある。そして、上記従来技術では、耳部の取付孔への縁部の挿入屈曲又は突起と係止片との係止により、取付強度の向上を図っているが、後縁が平坦に形成されたスピーカグリル又はスピーカカバーをプラーの曲面に沿わせるためには、取付時にスピーカグリル又はスピーカカバーに無理な力が加わったり、取付け後、部分的に無理な力が加わることが予想される。
【０００６】
また、上記前者従来技術（実用新案登録第２６０４６３１号公報）では、嵌合孔に耳部を設ける必要があり、後者従来技術（特開平８−１６４７９９号公報）では、開口に係止片を設ける必要があり、このように複雑な形状の孔を取付箇所に設けるものであるから、孔の加工が複雑であり、孔を後加工してスピーカを取り付けるには煩雑な作業が必要となる。
【０００７】
そして、音響上、高音域のツイータは車内の高さ方向略中央位置に設けることが好ましく、前方ピラーやドアライニングの上部前側にツイータが設けられるため、スピーカカバーなどを前記プラーに隙間無く取り付けるには、そのスピーカカバーの後面をプラーの曲面に合せて形成する必要があり、取付位置により専用のスピーカカバーが必要となるため、製品コストの上昇を招く一因となる。また、スピーカカバーの後面をプラーの曲面に合せて形成すると、取付時に、スピーカカバーの向きをピラーに合せなければならず、取付作業が煩雑となることが予想される。
【０００８】
そこで、本発明は、取付作業性に優れた車両用スピーカの取付構造を提供することを目的とする。
【０００９】
【課題を解決するための手段】
請求項１の発明は、被固定部にスピーカを取り付ける車両用スピーカの取付構造において、前記被固定部に形成され前記スピーカの外フレームを取付ける取付孔と、前記外フレームに外装され前記取付孔前縁を覆う覆い部を有する弾性カバー体と、このカバー体に外装され前側が前記被固定部の前面に係止する係止部を有する前側係止ブラケットと、前記被固定部の後面に当接し前記被固定部の前面に係止する前記係止部と共に前記被固定部を挟む後側ブラケットと、この後側ブラケットを前記被固定部の後で前記スピーカに固定する固定手段とを備えるものである。
【００１０】
この請求項１の構成によれば、外フレームに弾性カバー体を外装し、このカバー体に前側係止ブラケットを外装した後、被固定部の前側から取付孔にスピーカを挿入すると、前側係止ブラケットの係止部が取付孔の周囲の被固定部の前面に係止する。次に、固定手段により後側ブラケットをスピーカに固定すると、その後側ブラケットが被固定部の後面に当接し、この後面に当接する後側ブラケットと前面に係止する係止部とにより被固定部を挟み、スピーカが取付孔に固定される。また、外フレームの回りの取付孔は覆い部に覆われ、外フレームと取付孔との間が露出することがない。
【００１１】
このように前側係止ブラケットの係止部と後側ブラケットとにより被固定部を挟んで固定するから、複雑な形状の取付孔を必要とせず、弾性カバー体と前側係止ブラケットとを外装したスピーカを取付孔に挿入し、後側ブラケットをスピーカに固定するという簡単な作業によりスピーカを取り付けることができる。
【００１２】
請求項２の発明は、前記前側係止ブラケットは、前記スピーカの後側に配置する後部を有し、この後部から前記取付孔に向って複数の腕部を設けると共に、この腕部の前側に前記係止部を設けたものである。
【００１３】
この請求項２の構成によれば、複数の腕部の前側に係止部を設けたから、取付孔の周囲前面に係止部が部分的に係止するため、該前面が曲面であっても、部分的に係止部が浮き上がることを抑制できる。また、スピーカに前側係止ブラケットを装着し、そのスピーカを前側から取付孔に挿入して係止部を前面に係止した後、スピーカを後に押しても、該スピーカの後側に前側係止ブラケットの後部が位置するため、スピーカが取付孔の後に抜け落ちることはない。このように前側係止ブラケットにより、取付作業中においてスピーカが安定すると同時に取付時においても前側からの力に対して安定した取付状態が得られる。
【００１４】
請求項３の発明は、前記前側係止ブラケットが３本の前記腕部を有するものである。
【００１５】
この請求項３の構成によれば、取付孔の周囲前面の３本の腕部の係止部が係止するから、全ての腕部の係止部が取付孔の周囲前面に係止し、安定した取付状態が得られる。すなわち、例えば２本の腕部では取付孔に対してスピーカが傾くなどして安定しないと共に、取付強度が得られにくく、４本の腕部では取付孔の周囲が平面でないと、いずれかの腕部が浮き上がり、安定した取付状態が得られないのに対して、３本の腕部とすることにより、比較的構造簡易にして全ての腕部が係止する安定した取付状態を得ることができる。
【００１６】
請求項４の発明は、前記腕部の前側が複数に分かれ、この複数に分かれたそれぞれに前記係止部が設けられているものである。
【００１７】
この請求項４の構成によれば、腕部の前側がさらに複数に分かれることにより、分かれた係止部が個々に独立して動くことができるから、曲面に対して係止部が追従して確実な係止状態を得ることができる。
【００１８】
請求項５の発明は、前記腕部がばね性を有するものである。
【００１９】
この請求項５の構成によれば、バネ性により取付孔の前面に係止部が弾発的に係止する。
【００２０】
請求項６の発明は、前記カバー体は、前記スピーカの後側に配置する後部と前記外フレームに外装する外装部とを一体に有するものである。
【００２１】
この請求項６の構成によれば、カバー体を、スピーカの後側と外フレームの周囲とに被せるようにしてスピーカに簡便に外装することができる。
【００２２】
請求項７の発明は、前記カバー体の覆い部が前記係止部を覆うものである。
【００２３】
この請求項７の構成によれば、覆い部により取付孔の前面に係止する係止部が外部に露出することがないと共に、外部から係止部に直接接触することを防止できる。
【００２４】
請求項８の発明は、前記覆い部は前記カバー体の前側を外後側に折り返してなるものである。
【００２５】
この請求項８の構成によれば、前面の曲面に対応して、折り返し部分が変形することにより、覆い部の後端と前面との間の隙間の発生を防止し、覆い部が前面に沿う。
【００２６】
請求項９の発明は、前記覆い部に前記係止部が係合する係合部を設けたものである。
【００２７】
この請求項９の構成によれば、係止部が覆い部の係合部に係合する。
【００２８】
請求項１０の発明は、前記カバー体には、前記前側係止ブラケットの腕部を位置決めする位置決め部が設けられているものである。
【００２９】
この請求項１０の構成によれば、位置決め部により前側係止ブラケットの腕部がカバー体に対して位置決めされる。
【００３０】
請求項１１の発明は、前記後側ブラケットは前記前側係止ブラケットの係止部に対応して前記被固定部の後面に当接するものである。
【００３１】
この請求項１１の構成によれば、係止部と後側ブラケットにより、被固定部の前面と後面の対応する位置を挟むことにより、被固定部を安定して挟着することができる。
【００３２】
請求項１２の発明は、前記後側ブラケットは前記前側係止ブラケットの係止部に対応して複数の腕部を有し、この腕部の前側が前記被固定部の後面に当接するものである。
【００３３】
この請求項１２の構成によれば、後側ブラケットと前側係止ブラケットの相互の腕部の前側で被固定部を挟み付けることができる。
【００３４】
請求項１３の発明は、前記カバー体には、前記前側係止ブラケット及び後側ブラケットの腕部を位置決めする位置決め部が設けられているものである。
【００３５】
この請求項１３の構成によれば、位置決め部により前側係止ブラケットと後側ブラケットの両方の腕部がカバー体に対して位置決めされる。
【００３６】
請求項１４の発明は、前記スピーカと後側ブラケットとの間に前記前側係止ブラケットの後部を挟むものである。
【００３７】
この請求項１４の構成によれば、固定手段により後側ブラケットをスピーカに固定することにより、同時に前側ブラケットをスピーカに固定することができる。
【００３８】
請求項１５の発明は、前記カバー体は、前記スピーカの後側に配置する後部を有し、この後部を前記スピーカと後側ブラケットとの間に配置し、前記固定手段は前記後側ブラケットを前記スピーカに締め付け固定するものである。
【００３９】
この請求項１５の構成によれば、締め付けによりカバー体の後部がパッキンとして作用し、両ブラケットをスピーカに安定して固定することができる。
【００４０】
【発明の実施形態】
以下、本発明の車両用スピーカの取付構造の第１実施形態について、図１〜図７を参照しながら説明する。同図に示すように、本発明のスピーカの取付構造は、スピーカ１と、このスピーカ１に外装される弾性カバー体２と、この弾性カバーに外装される前側係止ブラケット３と、この前側係止ブラケット３とと共に前記スピーカ１を被固定部に固定する後側ブラケット４とを備える。
【００４１】
また、前記スピーカ１は、車両の室内に設けられるものであり、ドアライニングの上部前側や前方ピラー等の被固定部５に設けられ、この被固定部５に穿設した取付孔５１に装着される。
【００４２】
前記スピーカ１は、高音域再生用のスピーカであるツイータである。前記スピーカ１内には音響部分として本体１１が設けられ、この本体１１は、リング状の本体フレーム１２の前側に小口径のドーム型の振動板１３を設けると共に、前記本体フレーム１２の後側に電気音響変換器１４を設け、この電気音響変換器１４により前記振動板１２を振動して高音域の音を発する。尚、前記電気音響変換器１４はマグネットやムービングコイルを備えるものである。
【００４３】
前記本体フレーム１２の外側に略円筒状の外フレーム１５を設け、この外フレーム１５は正面形状が円形であって、その外フレーム１５の外周面１５１は後側から前側に向って直径が小さくなる湾曲面に形成されている。尚、外周面１５１の最大径の部分である後端１５１Ａは前記取付孔５１より多少小さく形成され、これにより前側から取付孔５１に外フレーム１５を挿入できるようになっている。前記外フレーム１５の前縁部１５２は内側に屈曲形成され、その前縁部１５２の後面が前記本体フレーム１２に固定され、その前縁部１５２の前面にスピーカカバー１６の後側周縁を加締などにより固定している。前記外フレーム１５は金属や合成樹脂などの硬質材料からなる。前記スピーカカバー１６はパンチングメタルやラスメタル（金網状）やエキスパンドメタル等の有孔のドーム型であって、前記外フレーム１５の前面開口を覆う。
【００４４】
前記電気音響変換器１４の後部にはベース部１７が設けられ、このベース部１７は金属や合成樹脂などの硬質材料からなり、略円形で平坦な後面部１７１と、この後面部１７１の中心に突出された雌螺子筒部１７２とを備え、この雌螺子筒部１７２の外周は円柱面をなす。また、前記スピーカ１の電気音響変換器１４にはハーネス１８が接続され、このハーネス１８の先端にはコネクタ１９が設けられている。
【００４５】
前記カバー体２は、弾性を有すると共に止水を有するゴム等の弾性体からなり、前記スピーカ１に着脱可能に外装される。前記カバー体２は、前記取付孔５１の前縁５１Ｆを覆う覆い部２１と、前記外フレーム１５の外周面１５１に外装する筒状の外装部２２と、前記後面部１７１に沿って設けられる該後面部１７１とほぼ同形で平板状の後部２３と、これら外装部２２と後部２３とを連結し外装部２２側に向って拡大するテーパ部２４とを一体に有する。また、このテーパ部２４には前記ハーネス１８及びコネクタ１９を挿通する挿通孔２５が穿設されている。また、前記後部２３の中央には前記雌螺子筒部１７２を挿通する透孔２３１が穿設されている。
【００４６】
前記覆い部２１は前記外装部２２の前縁を外側後向きに折り返してなり、該覆い部２１の後面に空隙部２１１が形成され、その覆い部２１の後縁２１２が被固定部５の前面５２に当接する。また、前記外装部２２は前記外周面１５１より多少小さく形成されており、その外装部２２を周方向に伸ばした状態で前記外フレーム１５に外装し、該外装部２２の弾性復元力で外フレーム１５の外周面１５１に外装部２２が密着する。尚、外装状態でカバー体２から外フレーム１５の前側が部分的に露出する。前記後部２３は平板状をなし、その厚さが２〜６ミリ程度と他の部分に比べて厚く形成されている。
【００４７】
前記前側係止ブラケット３は、前記弾性カバー体２の後部２３に沿って配置する平板状の後部３１と、この後部３１から放射状に前側周囲に延びる３つの腕部３２と、この腕部３２の前端に設けられ前記取付孔５１の前縁に係止する係止部３３とを一体に備える。前記前側係止ブラケット３は、金属や合成樹脂などから形成され、少なくとも前記腕部３２がばね性を備え、この例では厚さ０．３ミリ程度のバネ鋼の平板を型抜きし、さらに、プレス加工により所定形状に形成されている。また、円周方向等間隔で隣合う前記腕部３２，３２は１２０°の角度をなす。そして、前記後部３１と腕部３２の後側とが後折曲箇所３２１により所定角度で前側に折り曲げられ、さらに、腕部３２の前後方向中央で中央折曲箇所３２２により前側がほぼ前後方向をなすように湾曲状に折り曲げられ、中央折曲箇所３２２より前側において腕部３２が前記外装部２２の外面に沿うように形成されている。すなわち、図１に示す取付状態で、中央湾曲部３２２は外フレーム１５の外周面１５１の後端１５１Ａより後方に位置する。そして、前記前側係止ブラケット３は、少なくとも腕部３２がばね性を有すればよく、前記取付孔５１にスピーカ１を挿入した状態で、その腕部３２が取付孔５１により弾性カバー体２の外装部２２に沿うように変形可能な弾性を有する。また、前記後部３１の中央には前記雌螺子筒部１７２を挿通する透孔３１１が穿設されている。尚、上述したように腕部３２，３２は１２０°の間隔をなすから、図１及び図２は、図３のＹ−Ｙ線断面図を図示している。
【００４８】
前記係止部３３は腕部３２の前端を外後側に折り返して形成したものである。また、各腕部３２は、長さ方向（前後方向）中央に略Ｖ字状の溝部３２３を形成することにより、前端側が２つに別れた分割腕部３２Ａ，２３Ａを有し、これら分割腕部３２Ａ，２３Ａにそれぞれに前記係止部３３，３３が設けられている。この例では、溝部３２３の後端は前記後側折曲箇所３２１まで達している。また、腕部３２の分割腕部３２Ａ，３２Ａの前記後折曲箇所３２１，３２１は略ハ字状をなし、同様に腕部３２の分割腕部３２Ａ，３２Ａの前記中央折曲箇所３２２，３２２はハ字状をなし、３つの腕部３２，３２，３２の前端に設けられた６つの係止部３３，３３，３３，３３，３３，３３は、図４に示すように、透孔３１１を中心とする仮想円Ｋに沿って位置する。さらに、前記分割腕部３２Ａは前記中央折曲箇所３２２の後側より前側が幅狭に形成され、このように分割腕部３２Ａの前側を幅狭にすることにより分割腕部３２Ａの前側が弾性変形し易い構造になっている。
【００４９】
また、前記後部３１の中央には前記雌螺子筒部１７２を挿通する前記透孔３１１が穿設されている。この透孔３１１は前側係止ブラケット３の中心に位置する。また、前記後部２３を厚く形成して該後部２３とテーパ部２４との間に段部２３２を形成しており、雌螺子筒部１７２を透孔２３１と透孔３１１とに挿通し、スピーカ１の後面部１７１に、弾性カバー体２の後部２３と前側係止ブラケット３の後部３１を沿わせると、前記段部２３２により、腕部３２のほぼ後折曲箇所３２１と中央折曲箇所３２２との間は、前記テーパ部２４と接することなく離れる。
【００５０】
前記後側ブラケット４は、前記前側係止ブラケット３の後部３１に沿って配置する平板状の後部４１と、この後部４１から前記腕部３２に対応して放射状に前側周囲に延びる３つの押え腕部４２を備え、この押え腕部４２の前端に前記係止部３３に対応して取付孔５１の周囲に位置する被固定部の後面に当接する当接部４３が設けられている。尚、押え腕部４２の前側は前後方向に形成され、その押え腕部４２の前側に対して当接部４３は交差方向に形成され、且つ複数の当接部４３，４３，４３は透孔４１２を中心とする仮想円（図示せず）にほぼ沿うものである。前記後側ブラケット４は金属や合成樹脂などの硬質材料から形成され、例えば耐食性を考慮した場合はステンレス鋼を用いることが好ましく、厚さ１．０ミリ程度のステンレス鋼の平板を型抜きし、さらに、プレス加工により所定形状に形成されている。また、前記円周方向等間隔で隣合う前記押え腕部４２，４２は１２０°の角度をなす。そして、前記後部４１と押え腕部４２の後端とが後折曲箇所４２１により所定角度で前側に折り曲げられ、さらに、押え腕部４２の前後方向中央で中央折曲箇所４２２により前側がほぼ前後方向をなすように湾曲状に折り曲げられ、図１に示す取付状態で、押え腕部４２の後折曲箇所４２１より前側は弾性カバー体２及び前側係止ブラケット３に接することなく間隔を置いて離れる。また、押え腕部４２の中央屈曲箇所４２２より前側はほぼ前後方向の向きをなす。さらに、押え腕部４２には、屈曲箇所４２１，４２２の間に透孔４２３が穿設されている。また、前記後部４１の中央には前記雌螺子筒部１７２を挿通する透孔４１１が穿設されている。この透孔４１１は後側ブラケット４の中心に位置する。
【００５１】
また、前記覆い部２１の後面には前記係止部３３が係合する係合部たる凹部２１３を形成し、この凹部２１３に前記係止部３３が収納される。また、前記後部２３には、位置決め部たる回り止め突起部２３３が後方に突出形成されており、この回り止め突起部２３３の係合する係合凹部３１２を、前側係止ブラケット３の後部３１が有し、前記係合凹部３１２は隣合う前記腕部３２，３２の後の縁間に設けられている。また、前記回り止め係合部２３３が係合する係合凹部４１２を、前側係止ブラケット４の後部４１が有し、前記係合凹部４１２は隣合う前記押え腕部４２，４２の後の縁間に設けられている。
【００５２】
６は固定手段たるビスであり、ワッシャ６１に挿通して前記雌螺子筒部１７２に螺着され、前記後部２３，３１，４１を前記後面部１７に締め付け固定する。また、図７において、７はバンドであり、このバンド７を前記透孔４２３に挿通係止すると共にハーネス１８に巻装することにより前記後側ブラケット４にハーネス１８の途中を固定することができる。
【００５３】
次に前記スピーカ１の取付方法の一例を説明すると、まず、スピーカ１の外フレーム１５に弾性カバー体２を外装する。外装部２２はカバー体２の外周面１５１より多少小さく形成されているから、その外装部２２を周方向に伸ばした状態で前記外フレーム１５に外装し、透孔２３１に雌螺子筒部１７２を挿通し、後部２３を後面部１７に沿わせ、伸ばした外装部２２の弾性復元力で外フレーム１５の外周面１５１に外装部２２が密着して固定される。次に、後側から嵌め入れるようにしてカバー体２に前側係止ブラケット３を外装し、透孔３１１に雌螺子筒部１７２を挿通すると共に、回り止め突起部２３３に係合凹部３１２を係合することにより、カバー体２に対して前側係止ブラケット３が位置決めされ、前端の係止部３３が凹部２１３に位置あわせされる。また、複数である３の回り止め突起部２３３が後部３１を挟むことにより、カバー体２に前側係止ブラケット３が仮固定される。また、複数の腕部３２内に外装部２２が嵌ることによっても、カバー体２に前側係止ブラケット３が仮固定される。このようにしてスピーカ１にカバー体２と前側係止ブラケット３を組み込んだ後、スピーカ１を前側から被固定部５の前側から取付孔５１に挿入すると、前側係止ブラケット３の係止部３３が取付孔５１の周囲の前面５２に係止する。尚、外フレーム１５の外周面１５１は前側から後側に向って直径が大きくなる形状で、外周面１５１の最大径の部分である後端１５１Ａは前記取付孔５１より多少小さく形成されているから、挿入時には前面５２に対してスピーカ１を傾け、傾けたまま２箇所の腕部３２，３２側を取付孔５１に挿入した後、残りの腕部３２側を押し込んでやれば、上述したように外フレーム１５が後側が大きな形状でもスムーズに挿入することができ、挿入後に前側に抜け落ちることはない。尚、弾性変形前の腕部３２の間隔、すなわち前記仮想円Ｋを取付孔５１より大きくしておけば、図２に示すように腕部３２の中央折曲箇所３２２が外側に広がるから、これによってもスピーカ１の前側への抜け出しが防止さえる。
【００５４】
また、前記外ケース１５にカバー体２を外装した状態で、前記後端１５１Ａ位置の外装部２２の外周は、前記取付孔５１とほぼ同一か多少大きくなるように設定され、３本の腕部３２，３２，３２を有し、これら腕部３２，３２，３２は外装部２２の直径方向に並んでいないから、上述したようにスピーカ１の挿入時には、前面５２に対してスピーカ１を傾け、傾けたまま２箇所の腕部３２，３２の中央、すなわちカバー体２の腕部のない箇所を取付孔５１に挿入することにより、スピーカ１後部の２箇所の腕部３２，３２側をスムーズに挿入でき、この後、残りの腕部３２側を押し込むと、残りの腕部３２が外装する外装部２２箇所及び残りの腕部３２の他側で取付孔５１に接する外装部２２箇所が弾性変形可能であるから、スムーズな挿入を行うことができる。また、このように前記後端１５１Ａ位置の外装部２２の外周が前記取付孔５１とほぼ同一か多少大きくなるよう設定し、外ケース１５の後部を取付孔５１の後側に挿通した状態で取付固定するから、挿入後においては、外装部２２が取付孔５１に密着すると共に、取付孔５１位置の外装部２２により腕部３２が外周側に押され、腕部３２を外側に開く力が加わり、その腕部３２先端の係止部３３が取付孔５１の前縁５１Ｆに確実に係止する。さらに、外ケース１５の後部を取付孔５１の後側に挿通した状態で取付固定することにより、スピーカ１は取付孔５１から前側に出っ張る部分が少ないものとなる。
【００５５】
そして、被固定物５の前面５２が３次元的な曲面であっても、３箇所の腕部３２に係止部３３を設けているため、全ての腕部３２が前面５２に確実に係止される。また、折り曲げ形成された覆い部２１は所定の厚さを有するから、前面に曲面に対応して覆い部２１が弾性変形することにより覆い部２１の後縁２１２が前面５２に隙間無く接することになる。
【００５６】
次に、被固定部５の後側から、後側ブラケット４を前側係止ブラケット３に外嵌し、透孔４１１に雌螺子筒部１７２を挿通すると共に、回り止め突起部２３３に係合凹部４１２を係合することにより、前側係止ブラケット３に対して後側ブラケット３が位置決めされ、両腕部３２，４２が重ね合わせ状態で位置あわせされる。そして、ビス６を雌螺子筒部１７２に螺着し、前記後部２３，３１，４１を前記後面部１７に締め付け固定することにより、スピーカ１とカバー体２と前側係止ブラケット３と後側ブラケット４とが固定され、同時に前面５２の係止部３３と後面５３の当接部４３により被固定部５を挟み付け、これによりスピーカ１が取付孔５１に固定される。この場合、係止部３３と当接部４３とが前面５２と後面５３で対応する位置にあるから、確実な挟み付けが可能となる。また、外フレーム１５の外周面１５１は前側から後側に向って直径が大きくなる形状をなし、その外フレーム１５にカバー体２を挟んで前側係止ブラケット２の腕部３２を外嵌しているから、ビス６を締め付けて後部２３が前後方向（厚さ方向）に圧縮されると、外フレーム１５が後退し、後退した外フレーム１５により腕部３２の中央折曲箇所３２２が外側に押し広げられ、これにより腕部３２の前端を後に引っ張る力が加わり、前端の係止部３３が前面５２に圧接し、これにより一層確実な係止状態が得られる。
【００５７】
また、取付状態において、カバー体２は防振性及び気密性の面でも作用し、例えば、カバー体２はスピーカ１と被固定部５との間の振動の伝わりが抑制され、また、その覆い部２１により取付孔５１の防塵性や気密性が確保される。
【００５８】
このように本実施形態では、請求項１に対応して、被固定部５にスピーカ１を取り付ける車両用スピーカの取付構造において、被固定部５に形成されスピーカ１の外フレーム１５を取付ける取付孔５１と、外フレーム５に外装され取付孔５１の前縁５１Ｆを覆う覆い部２１を有する弾性カバー体２と、このカバー体２に外装され前側が被固定部５の前面５２に係止する係止部３３を有する前側係止ブラケット３と、被固定部５の後面５３に当接し被固定部５の前面５２に係止する係止部３３と共に被固定部５を挟む後側ブラケット４と、この後側ブラケット４を被固定部５の後でスピーカ５に固定する固定手段たるビス６とを備えるから、外フレーム１５にカバー体２を外装し、このカバー体２に前側係止ブラケット３を外装した後、被固定部５の前側から取付孔５１にスピーカ１を挿入すると、前側係止ブラケット３の係止部３３が取付孔５１の周囲の前面５２に係止する。次に、ビス６により後側ブラケット４をスピーカ１に固定すると、その後側ブラケット４が被固定部５の後面５３に当接し、この後面５３に当接する後側ブラケット４と前面５２に係止する係止部３３とにより被固定部５を挟み付けることにより、スピーカ１が取付孔５１に固定される。また、外フレーム４の回りの取付孔５１は覆い部２１に覆われ、外フレーム５と取付孔５１との間が露出することがない。このように前側係止ブラケット３の係止部３３と後側ブラケット４とにより被固定部５を挟んで固定するから、複雑な形状の取付孔５１を必要とせず、弾性カバー体２と前側係止ブラケット３とを外装したスピーカ１を取付孔５１に挿入し、後側ブラケット４をスピーカ１に固定するという簡単な作業によりスピーカ１を取り付けることができる。
【００５９】
このように本実施形態では、請求項２に対応して、前側係止ブラケット３は、スピーカ１の後側に配置する後部３１を有し、この後部３１から取付孔５１に向って複数の腕部３２，３２を設けると共に、この腕部３２の前側に係止部３３を設けたから、取付孔５１の周囲の前面５２に係止部３３が部分的に係止するため、該前面５２が曲面であっても、係止部３３が浮き上がることを抑制できる。また、スピーカ１に前側係止ブラケット３を装着し、そのスピーカ１を前側から取付孔５１に挿入して係止部３３を前面５２に係止した後、スピーカ１を後に押しても、該スピーカ１の後側に前側係止ブラケット３の後部３１が位置するため、スピーカ１が取付孔５１の後に抜け落ちることはない。このように前側係止ブラケット３により、取付作業中においてスピーカ１が安定すると同時に取付時においても前側からの力に対して安定した取付状態が得られる。
【００６０】
このように本実施形態では、請求項３に対応して、前側係止ブラケット３が３本の腕部３２を有するから、３本の全ての腕部３２の係止部３３が取付孔５１の周囲の前面５２に係止し、安定した取付状態が得られる。
【００６１】
このように本実施形態では、請求項４に対応して、腕部３２の前側が複数に分かれ、この複数に分かれたそれぞれに係止部３３が設けられているから、腕部３２の前側がさらに複数に分かれることにより、分かれた係止部３３が個々に独立して動くことができるから、曲面に対して係止部３３が追従して確実な係止状態を得ることができる。
【００６２】
このように本実施形態では、請求項５に対応して、腕部３２がばね性を有するから、係止部３３が取付孔５１の前面５２に弾発的に係止する。
【００６３】
このように本実施形態では、請求項６に対応して、カバー体２は、スピーカ１の後側に配置する後部２３と外フレーム１５に外装する外装部２２とを一体に有するから、カバー体２を、スピーカ１の後側と外フレーム１５の周囲とに被せるようにしてスピーカ１に簡便に外装することができる。
【００６４】
このように本実施形態では、請求項７に対応して、カバー体２の覆い部２１が係止部３３を覆うから、覆い部２１により取付孔５１の前面５２に係止する係止部３３が外部に露出することがないと共に、外部から係止部３３に直接接触することを防止できる。
【００６５】
このように本実施形態では、請求項８に対応して、覆い部２１はカバー体２の前側を外後側に折り返してなるから、前面５２の曲面に対応して、折り返し部分が変形することにより、覆い部２１の後端２１２と前面５２との間の隙間の発生が防止され、覆い部２１の全周が前面５２に沿う。
【００６６】
このように本実施形態では、請求項９に対応して、覆い部２１に係止部３３が係合する係合部たる凹部２１３を設けたから、係止部３３が覆い部２１の係合部に係合する。
【００６７】
このように本実施形態では、請求項１０に対応して、カバー体２には、前側係止ブラケット３の腕部３２を位置決めする位置決め部たる回り止め突起２３３が設けられているから、回り止め突起２３３により前側係止ブラケット３の腕部３２をカバー体２に対して位置決めすることができる。
【００６８】
このように本実施形態では、請求項１１に対応して、後側ブラケット４は前側係止ブラケット３の係止部３３に対応して被固定部５の後面５３に当接するから、係止部３３と後側ブラケット４により、被固定部５の前面５２と後面５３の対応する位置を挟むことにより、被固定部５を安定して挟着することができる。
【００６９】
このように本実施形態では、請求項１２に対応して、後側ブラケット４は前側係止ブラケット３の係止部３３に対応して複数の腕部３２を有し、この腕部３２の前側が被固定部５の後面５３に当接するから、後側ブラケット４と前側係止ブラケット３の相互の腕部４２，３２の前側で被固定部５を挟み付けることができる。
【００７０】
このように本実施形態では、請求項１３に対応して、カバー体２には、前側係止ブラケット３及び後側ブラケット４の腕部３２，４２を位置決めする位置決め部たる回り止め突起２３３が設けられているから、回り止め突起２３３により前側係止ブラケット３と後側ブラケット４の両方の腕部３２，４２をカバー体２に対して位置決めすることができる。
【００７１】
このように本実施形態では、請求項１４に対応して、スピーカ１と後側ブラケット４との間に前側係止ブラケット３の後部３１を挟むから、、固定手段により後側ブラケット４をスピーカ１に固定することにより、同時に前側ブラケット３をスピーカ１に固定することができる。
【００７２】
このように本実施形態では、請求項１５に対応して、カバー体２は、スピーカ１の後側に配置する後部２３を有し、この後部２３をスピーカ１と後側ブラケット４との間に配置し、固定手段は後側ブラケット４をスピーカ１に締め付け固定するものであるから、締め付けによりカバー体２の後部２３がパッキンとして作用し、両ブラケット３，４をスピーカ１に安定して固定することができる。
【００７３】
また、実施形態上の効果として、外フレーム１５の外周面１５１は前側から後側に向って直径が大きくなる形状をなし、その外フレーム１５にカバー体２を挟んで前側係止ブラケット２の腕部３２を外嵌しているから、ビス６を締め付けて後部２３が前後方向を圧縮すると、外フレーム１５が後退し、後退した外フレーム１５により腕部３２の中央折曲箇所３２２が外側に押し広げられ、これにより腕部３２の前端を後に引っ張る力が加わり、先端の係止部３３が前面５２に圧接させることができる。
【００７４】
なお、本発明は、前記実施形態に限定されるものではなく、種々の変形実施が可能である。例えば、固定手段はビス以外でも各種のものを用いることができる。
【００７５】
【発明の効果】
請求項１の発明は、前記被固定部に形成され前記スピーカの外フレームを取付ける取付孔と、前記外フレームに外装され前記取付孔前縁を覆う覆い部を有する弾性カバー体と、このカバー体に外装され前側が前記被固定部の前面に係止する係止部を有する前側係止ブラケットと、前記被固定部の後面に当接し前記被固定部の前面に係止する前記係止部と共に前記被固定部を挟む後側ブラケットと、この後側ブラケットを前記被固定部の後で前記スピーカに固定する固定手段とを備えるものであり、取付作業性に優れた車両用スピーカの取付構造を提供することができる。
【００７６】
請求項２の発明は、前記前側係止ブラケットは、前記スピーカの後側に配置する後部を有し、この後部から前記取付孔に向って複数の腕部を設けると共に、この腕部の前側に前記係止部を設けたものであり、前面が曲面であっても、部分的に係止部が浮き上がることを抑制できる。
【００７７】
請求項３の発明は、前記前側係止ブラケットが３本の前記腕部を有するものであり、全ての腕部の係止部が取付孔の周囲前面に係止し、安定した取付状態が得られる。
【００７８】
請求項４の発明は、前記腕部の前側が複数に分かれ、この複数に分かれたそれぞれに前記係止部が設けられているものであり、曲面に対して係止部が追従して確実な係止状態を得ることができる。
【００７９】
請求項５の発明は、前記腕部がばね性を有するものであり、取付孔の前面に係止部が弾発的に係止する。
【００８０】
請求項６の発明は、前記カバー体は、前記スピーカの後側に配置する後部と前記外フレームに外装する外装部とを一体に有するものであり、カバー体をスピーカに簡便に外装することができる。
【００８１】
請求項７の発明は、前記カバー体の覆い部が前記係止部を覆うものであり、係止部が外部に露出することがないと共に、外部から係止部に直接接触することを防止できる。
【００８２】
請求項８の発明は、前記覆い部は前記カバー体の前側を外後側に折り返してなるものであり、覆い部の後端と前面との間の隙間の発生を防止し、覆い部が前面に沿う。
【００８３】
請求項９の発明は、前記覆い部に前記係止部が係合する係合部を設けたものであり、係止部が覆い部の係合部に係合する。
【００８４】
請求項１０の発明は、前記カバー体には、前記前側係止ブラケットの腕部を位置決めする位置決め部が設けられているものであり、前側係止ブラケットの腕部がカバー体に対して位置決めされる。
【００８５】
請求項１１の発明は、前記後側ブラケットは前記前側係止ブラケットの係止部に対応して前記被固定部の後面に当接するものであり、被固定部を安定して挟着することができる。
【００８６】
請求項１２の発明は、前記後側ブラケットは前記前側係止ブラケットの係止部に対応して複数の腕部を有し、この腕部の前側が前記被固定部の後面に当接するものであり、後側ブラケットと前側係止ブラケットの相互の腕部の前側で被固定部を挟み付けることができる。
【００８７】
請求項１３の発明は、前記カバー体には、前記前側係止ブラケット及び後側ブラケットの腕部を位置決めする位置決め部が設けられているものであり、前側係止ブラケットと後側ブラケットの両方の腕部がカバー体に対して位置決めされる。
【００８８】
請求項１４の発明は、前記スピーカと後側ブラケットとの間に前記前側係止ブラケットの後部を挟むものであり、固定手段により後側ブラケットをスピーカに固定することにより、同時に前側ブラケットをスピーカに固定することができる。
【００８９】
請求項１５の発明は、前記カバー体は、前記スピーカの後側に配置する後部を有し、この後部を前記スピーカと後側ブラケットとの間に配置し、前記固定手段は前記後側ブラケットを前記スピーカに締め付け固定するものであり、カバー体の後部がパッキンとして作用し、両ブラケットをスピーカに安定して固定することができる。
【図面の簡単な説明】
【図１】本発明の一実施形態を示す取付構造の断面図である。
【図２】同上、後側ブラケットを取り付ける前の断面図である。
【図３】同上、取付構造の正面図である。
【図４】同上、分解斜視図である。
【図５】同上、カバー体と前側係止ブラケットの斜視図である。
【図６】同上、取付工程を説明する断面図である。
【図７】同上、被固定部の後面側から見た取付工程を説明する斜視図である。
【図８】同上、取付構造の斜視図である。
【符号の説明】
１  スピーカ
２  カバー体
３  前側係止ブラケット
４  後側ブラケット
５  被固定部
６  ビス（固定手段）
１５  外フレーム
１５１    外周面
１７１    後面部
２１  覆い部
２１３    凹部（係合部）
２２  外装部
２３  後部
２３３    回り止め突起部（位置決め部）
３１  後部
３２  腕部
３２Ａ  分割腕部
３３  係止部
４１  後部
４２  押え腕部
４３  当接部
５１  取付孔
５１Ｆ  前縁
５２  前面
５３  後面
【図１】
0003620043.tif 000002
【図２】
0003620043.tif 000003
【図３】
0003620043.tif 000004
【図４】
0003620043.tif 000005
【図５】
0003620043.tif 000006
【図６】
0003620043.tif 000007
【図７】
0003620043.tif 000008
【図８】
0003620043.tif 000009